(57)【要約】      （修正有）【課題】かごの外面にチュールが用いられた装飾を有し、かつ、当該装飾が破損しにくいチュールバッグを提供する。【解決手段】チュールバッグ１は、線状部材で編まれたかごバッグ１０と、かごバッグ１０の外面に取り付けられた長尺状の複数のチュール２０と、複数のチュール２０を貫通する糸とを備え、複数のチュール２０のそれぞれは、かごバッグ１０の側面の外側から内側に向けて、線状部材で形成される第１網目を貫通した後に、かごバッグ１０の側面の内側から外側に向けて、線状部材で形成される第２網目を貫通しており、糸は、複数のチュール２０のそれぞれについて、チュール２０のうち、第１網目から当該チュール２０の一端までの第１箇所、及び、第２網目から当該チュール２０の他端までの第２箇所を貫通している。【選択図】図１Ａ
0003234073.tif 000002
【実用新案登録請求の範囲】
【請求項１】
線状部材で編まれたかごバッグと、
前記かごバッグの外面に取り付けられた長尺状の複数のチュールと、
前記複数のチュールを貫通する糸とを備え、
前記複数のチュールのそれぞれは、前記かごバッグの側面の外側から内側に向けて、前記線状部材で形成される第１網目を貫通した後に、前記かごバッグの側面の内側から外側に向けて、前記線状部材で形成される第２網目を貫通しており、
前記糸は、前記複数のチュールのそれぞれについて、当該チュールのうち、前記第１網目から当該チュールの一端までの第１箇所、及び、前記第２網目から当該チュールの他端までの第２箇所を貫通している、
チュールバッグ。
【請求項２】
前記第１網目および前記第２網目は、前記かごバッグに形成される複数の網目の内、ランダムに選択された網目である、
請求項１に記載のチュールバッグ。
【考案の詳細な説明】
【技術分野】
【０００１】
本考案は、チュールバッグに関するものである。
【背景技術】
【０００２】
特許文献１において、かご本体と把手部材とを備える手提げかごが開示されている。
【先行技術文献】
【特許文献】
【０００３】
【特許文献１】実開昭５８−９５７２８号公報
【考案の概要】
【考案が解決しようとする課題】
【０００４】
しかしながら、特許文献１に開示される手提げかごは、手提げかごの外面に装飾を有しない。
【０００５】
そこで、本考案は、かごの外面にチュールが用いられた装飾を有し、かつ、当該装飾が破損しにくいチュールバッグを提供する。
【課題を解決するための手段】
【０００６】
本考案の一態様に係るチュールバッグは、線状部材で編まれたかごバッグと、前記かごバッグの外面に取り付けられた長尺状の複数のチュールと、前記複数のチュールを貫通する糸とを備え、前記複数のチュールのそれぞれは、前記かごバッグの側面の外側から内側に向けて、前記線状部材で形成される第１網目を貫通した後に、前記かごバッグの側面の内側から外側に向けて、前記線状部材で形成される第２網目を貫通しており、前記糸は、前記複数のチュールのそれぞれについて、当該チュールのうち、前記第１網目から当該チュールの一端までの第１箇所、及び、前記第２網目から当該チュールの他端までの第２箇所を貫通している。
【考案の効果】
【０００７】
本考案の一態様に係るチュールバッグは、かごの外面にチュールが用いられた装飾を有し、かつ、当該装飾が破損しにくいことを実現することができる。
【図面の簡単な説明】
【０００８】
【図１Ａ】図１Ａは、本考案の実施の形態に係るチュールバッグの側面図である。
【図１Ｂ】図１Ｂは、本考案の実施の形態に係るチュールバッグの上面図である。
【図２】図２は、本考案の実施の形態に係るチュールバッグの外面部の構造を示す図である。
【図３】図３は、本考案の実施の形態に係るチュールバッグの外面部の構造を示す別の図である。
【図４】図４は、本考案の実施の形態に係るチュールバッグの製造方法を示すフローチャートである。
【考案を実施するための形態】
【０００９】
本考案のチュールバッグは、線状部材で編まれたかごバッグと、かごバッグの外面に取り付けられた長尺状の複数のチュールと、複数のチュールを貫通する糸とを備え、複数のチュールのそれぞれは、かごバッグの側面の外側から内側に向けて、線状部材で形成される第１網目を貫通した後に、かごバッグの側面の内側から外側に向けて、線状部材で形成される第２網目を貫通しており、糸は、複数のチュールのそれぞれについて、当該チュールのうち、第１網目から当該チュールの一端までの第１箇所、及び、第２網目から当該チュールの他端までの第２箇所を貫通している。これにより、第１網目および第２網目を貫通するチュールが糸により固定され、かごの外面のチュールが用いられた装飾が破損しにくくなる。
【００１０】
［構造］
図１Ａは、本考案の実施の形態に係るチュールバッグ１の側面図である。また、図１Ｂは、本考案の実施の形態に係るチュールバッグ１の上面図である。チュールバッグ１は、かごバッグ１０と、チュール２０と、糸３０（図１Ａおよび図１Ｂには図示せず）と、内布４０と、取手５０とを備える。かごバッグ１０は、麻ひも、籐、竹、または、プラスチック等からなる線状部材１１が編まれることで形成されるバッグである。かごバッグ１０は、かごバッグ１０の外面と内面を貫通する穴である複数の網目を有する。
【００１１】
かごバッグ１０は、複数の線状部材１１が細編み、長編み、または、花結び等の編み方で編まれていてもよい。かごバッグ１０は、底面部と側面部とを有する。かごバッグ１０の底面部は、円形、楕円形または矩形でもよい。
【００１２】
そして、複数の網目のうち、ランダムに選択された網目に、複数のチュール２０のそれぞれが貫通している。複数のチュール２０のそれぞれは、かごバッグ１０の側面の外側から内側に向けて、線状部材１１で形成される第１網目を貫通した後に、かごバッグ１０の側面の内側から外側に向けて、線状部材１１で形成される第２網目を貫通する。かごバッグ１０の網目に貫通する複数のチュール２０は、チュール２０がかごバッグ１０の側面全体を覆うように見える数と位置との網目に貫通していてもよい。または、かごバッグ１０の網目に貫通する複数のチュール２０は、チュール２０がかごバッグ１０の側面の一部を覆うように見える数と位置との網目に貫通していてもよい。
【００１３】
チュール２０は、縦１５ｃｍ横８ｃｍほどの矩形を形成していてもよい。なお、チュール２０は上記の大きさおよび形状に限られない。複数のチュール２０は、ほぼ同一の形状および大きさでもよいし、互いに異なる形状および大きさでもよい。
【００１４】
かごバッグ１０の内側には、内布４０が備えられる。内布４０は、木綿、絹、合成繊維からなる、普通生地またはレース生地等からなる。内布４０は、巾着の形状であって、袋状の蓋を有していてもよい。内布４０は、糸３０でかごバッグ１０に縫い付けられていてもよいし、接着剤で固定されていてもよい。内布は、底面部と側面部とを有する。底面部は、楕円形、円形、矩形等でもよい。側面部は、上部に紐が通される筒状の穴を有し、上部が紐で絞られる構造となっていてもよい。
【００１５】
取手５０は、かごバッグ１０の上部に取り付けられる。取手５０は複数取り付けられてもよい。取手５０は、合成皮革、皮革、または、金属製のチェーン等からなる。
【００１６】
チュール２０は、多角形の網目を持つレース生地である。特に、チュール２０の網目は、六角形でもよい。チュール２０は、ソフトチュールでもよいし、ハードチュールでもよい。チュール２０は、絹、綿、アセテート、ナイロンまたはポリエステル等からなる。
【００１７】
糸３０は、絹糸、合成繊維からなる糸または綿糸等からなる。糸３０は、チュール２０をかごバッグ１０の側面に固定する。
【００１８】
［チュールと糸との位置関係］
次に、チュール２０と糸３０との位置関係について説明する。図２は、本考案の実施の形態に係るチュールバッグ１の外面部の構造を示す図である。
【００１９】
かごバッグ１０は、複数の線状部材１１からなり、互いに編まれた複数の線状部材１１は、第１網目１３および第２網目１４を形成する。第１網目１３および第２網目１４は、かごバッグ１０の内面と外面を貫通する穴である。
【００２０】
複数のチュール２０のそれぞれは、かごバッグ１０の側面の外側から内側に向けて、線状部材１１で形成される第１網目１３を貫通した後に、かごバッグ１０の側面の内側から外側に向けて、線状部材１１で形成される第２網目１４を貫通する。チュール２０の一端からチュール２０の中央部までの部分が、第１網目１３を貫通し、同時に、チュール２０の他端からチュール２０の中央部までの部分が、第２網目１４を貫通する。
【００２１】
次に、糸３０は、複数のチュール２０のそれぞれについて、チュール２０のうち、第１網目１３からチュール２０の一端までの第１箇所２１、及び、第２網目１４からチュール２０の他端までの第２箇所２２を貫通する。
【００２２】
糸３０は、第１網目１３を、かごバッグ１０の裏面から表面に向けて貫通する。そして、糸３０は、チュール２０の第１網目１３に面する側から、その反対側に向けて、チュール２０の第１箇所２１を貫通する。次に、糸３０は、チュール２０の第２網目１４に面する側の反対側から、チュール２０の第２網目１４に面する側に向けて、チュール２０の第２箇所２２を貫通する。そして、糸３０は、第２網目１４を、かごバッグ１０の表面から裏面に向かって貫通する。
【００２３】
また、糸３０は、複数のチュール２０について、上記のようにチュール２０と、第１網目１３と、第２網目１４とを貫通する。糸３０が、１つのチュール２０から別のチュール２０に貫通するときは、図２に示されるように、糸３０は、かごバッグ１０の裏面を通っていてもよい。または、糸３０は、かごバッグ１０の裏面を通らずに、複数のチュール２０を貫通していてもよい。
【００２４】
また、糸３０は、第１網目１３および第２網目１４である穴を貫通するのではなく、第１網目１３および第２網目１４を形成する線状部材１１を貫通していてもよい。
【００２５】
図３は、本考案の実施の形態に係るチュールバッグ１の外面部の構造を示す別の図である。図３は、第１網目１３と第２網目１４とに貫通したチュール２０の外観を表している。
【００２６】
チュール２０の中央部は、かごバッグ１０の裏面である、線状部材１１の裏側にある。そして、チュール２０の端部は、かごバッグ１０の表面に出る。糸３０は、かごバッグ１０の裏面から第１網目１３を通ってかごバッグ１０の表面に到達する。そして、かごバッグ１０の表面において、チュール２０の第１箇所２１および第２箇所２２を貫通する。そして、糸３０は、第２網目１４を通って、かごバッグ１０の表面から裏面に到達する。
【００２７】
糸３０は、第２網目１４を通って、かごバッグ１０の表面から裏面に到達する前に、複数のチュール２０の第１箇所２１および第２箇所２２を貫通してもよい。
【００２８】
チュール２０は、かごバッグ１０の表面の複数の網目のうち、ランダムに選択された網目に貫通していてもよい。網目を貫通したチュール２０の端部が、かごバッグ１０の側面全体を覆っているように見える密度で、チュール２０がかごバッグ１０の表面に設置されてもよい。
【００２９】
［製造方法］
次に、チュールバッグ１の製造方法について説明する。図４は、本考案の実施の形態に係るチュールバッグ１の製造方法を示すフローチャートである。
【００３０】
まず、複数のチュール２０のそれぞれを、かごバッグ１０の側面の外側から内側に向けて、線状部材１１で形成される第１網目１３を貫通させた後に、かごバッグ１０の側面の内側から外側に向けて、線状部材１１で形成される第２網目１４を貫通させる（ステップＳ１０）。
【００３１】
複数のチュール２０のそれぞれの中央部が、かごバッグ１０の内側に入り、複数のチュール２０のそれぞれの端部が、かごバッグ１０の外側に出るように、複数のチュール２０のそれぞれを、線状部材１１で形成される第１網目１３および第２網目１４に貫通させる。
【００３２】
次に、糸３０を、複数のチュール２０のそれぞれについて、当該チュール２０のうち、第１網目１３から当該チュール２０の一端までの第１箇所２１、及び、第２網目１４から当該チュール２０の他端までの第２箇所２２を貫通させる（ステップＳ１１）。
【００３３】
糸３０は、かごバッグ１０の表面において、チュール２０の中央部から一端の間にある第１箇所２１と、チュール２０の中央部から他端の間にある第２箇所２２を貫通する。
【００３４】
例えば、かごバッグ１０を構成する複数の網目のうち、縦一列に並んだ複数の網目から選択された網目に、複数のチュール２０のそれぞれを貫通させる。その後、縦一列に並んだ複数の網目から選択された網目に貫通した複数のチュール２０のそれぞれの第１箇所２１および第２箇所２２に、網目において、かごバッグ１０の裏面から表面に貫通した糸３０を貫通させる。その後、糸３０を、網目において、かごバッグ１０の表面から裏面に貫通させる。
【００３５】
なお、網目において、かごバッグ１０の裏面から表面に貫通した糸３０が１つのチュール２０の第１箇所２１および第２箇所２２を貫通した後、糸３０がかごバッグ１０の表面から裏面に貫通してもよい。
【００３６】
［効果等］
本考案のチュールバッグ１は、線状部材１１で編まれたかごバッグ１０と、かごバッグ１０の外面に取り付けられた長尺状の複数のチュール２０と、複数のチュール２０を貫通する糸３０とを備え、複数のチュール２０のそれぞれは、かごバッグ１０の側面の外側から内側に向けて、線状部材１１で形成される第１網目１３を貫通した後に、かごバッグ１０の側面の内側から外側に向けて、線状部材１１で形成される第２網目１４を貫通しており、糸３０は、複数のチュール２０のそれぞれについて、チュール２０のうち、第１網目１３から当該チュール２０の一端までの第１箇所２１、及び、第２網目１４から当該チュール２０の他端までの第２箇所２２を貫通している。
【００３７】
これにより、本考案のチュールバッグ１は、かごの外面にチュール２０が用いられた装飾を有し、かつ、当該装飾が破損しにくいことを実現することができる。
【００３８】
また、例えば、本考案のチュールバッグ１において、第１網目１３および第２網目１４は、かごバッグ１０に形成される複数の網目の内、ランダムに選択された網目である。
【００３９】
これにより、本考案のチュールバッグ１は、かごの外面に、適度なボリュームでチュール２０を装飾として設置することができる。そして、本考案のチュールバッグ１は、かごの外面にチュール２０が用いられた装飾を有し、かつ、当該装飾が破損しにくいことを実現することができる。
【００４０】
以上、本考案のチュールバッグについて、実施の形態に基づいて説明したが、本考案は、この実施の形態に限定されるものではない。本考案の趣旨を逸脱しない限り、当業者が思いつく各種変形を本実施の形態に施したものや、異なる実施の形態における構成要素を組み合わせて構築される形態も、本考案の範囲内に含まれる。
【産業上の利用可能性】
【００４１】
本考案は、かごの外面にチュールが用いられた装飾を有し、かつ、当該装飾が破損しにくいチュールバッグの製造を可能にする。
【符号の説明】
【００４２】
１    チュールバッグ
１０    かごバッグ
１１    線状部材
１３    第１網目
１４    第２網目
２０    チュール
２１    第１箇所
２２    第２箇所
３０    糸
４０    内布
５０    取手
【図１Ａ】
0003234073.tif 000003
【図１Ｂ】
0003234073.tif 000004
【図２】
0003234073.tif 000005
【図３】
0003234073.tif 000006
【図４】
0003234073.tif 000007